(57)【特許請求の範囲】
【請求項１】
被験者が一定時間咀嚼した咀嚼能率測定用材料の咬断片を唾液と共に吐き出させて該咬断片と唾液とに分離させる漏斗型分離具であって、使用時に円錐形に形成される耐水性を有するシート状の基材の円錐形の頂部となる部位(1a)から放射状の所定の位置に複数本の一定ピッチの波型の切込み(1b)が設けられていることを特徴とする漏斗状分離具(１)。
【請求項２】
波型の切込み(1b)のピッチが１〜５ｍｍである請求項１に記載の漏斗状分離具(１)。
【請求項３】
一定ピッチの波型の切込み(1b)がシート状の基材の円錐形の頂部となる部位(1a)から放射状に設けられた折り目線(1g)を中心として設けられている請求項１又は２に記載の漏斗状分離具(１)。
【発明の詳細な説明】
【技術分野】
【０００１】
本発明は、被験者の咀嚼能率を測定するために被験者が一定時間咀嚼した咀嚼能率測定用材料の咬断片を唾液と共に吐き出させて咀嚼能率測定用材料の咬断片と唾液とに分離させる漏斗型分離具に関するものである。
【背景技術】
【０００２】
人間が生命活動を維持するためには、咀嚼能率が良好であることが重要である。咀嚼は、単に食物を切断・粉砕・唾液との混合を行って嚥下し易くするのみならず、口腔内を刺激して各臓器の消化液の分泌を促進し、口腔内の自浄を行い、また食物と共に口腔内に侵入した異物の除去等を行う役目を為すのである。また咀嚼に障害がある場合は、その原因として口腔内の種々の疾患が原因になっている場合が多く、例えばう蝕・歯周病・咬合不適・義歯の不具合等が考えられる。従って、咀嚼を良好に行えない場合には、早急にその原因を究明して適切な治療を行うことが必要である。
【０００３】
このように人間が生命活動を維持するために重要な咀嚼能率を測定する方法として、近年唾液又は所定温度の温水に溶解される成分を略均一に含有し、咬合に適した所定の硬さを有するグミゼリーを咀嚼能率の測定用材料として使用する咀嚼能率測定方法が提案されている（例えば、特許文献１及び２参照。）。
【０００４】
特許文献１に開示されている方法は、咀嚼能率測定用材料として唾液に溶解される成分を略均一に含有し、咬合に適した所定の硬さを有するグミゼリーを使用する咀嚼能率測定方法を開示するものであり、被験者が一定時間咀嚼した咀嚼能率測定用材料の咬断片を唾液と共に吐き出させて咀嚼能率測定用材料の咬断片と唾液とを分離させ、唾液中に移行した咀嚼能率測定用材料の特定成分の量を検出試薬で測定しようとする方法を開示するものである。
【０００５】
また特許文献２に開示されている方法は、咀嚼能率測定用材料として所定温度の温水に溶解される成分を略均一に含有し、咬合に適した所定の硬さを有するグミゼリーを使用する咀嚼能率測定方法を開示するものであり、被験者が一定時間咀嚼した咀嚼能率測定用材料の咬断片を唾液と共に吐き出させて咀嚼能率測定用材料の咬断片と唾液とを分離させ、咀嚼能率測定用材料の咬断片を水洗した後に所定温度の温水中で攪拌して温水中に移行した咀嚼能率測定用材料の特定成分の量を検出試薬で測定しようとする方法を開示するものである。
【０００６】
このように従来の咀嚼能率測定方法においては、被験者が一定時間咀嚼した咀嚼能率測定用材料の咬断片を唾液と共に吐き出させて咀嚼能率測定用材料の咬断片と唾液とを分離させることが必要であるので、被験者が一定時間咀嚼した咀嚼能率測定用材料の咬断片を唾液と共に吐き出させて咀嚼能率測定用食品の咬断片と唾液とを分離させる操作を容易に行うことができ、且つ安価且つ容易に製作することができる使い捨て可能な漏斗型分離具が用意されていると便利である。
【０００７】
従来の使い捨て可能な漏斗型分離具としては、排出口周りの漏斗壁に、孔を多数設けた使い捨て取っ手付き多孔漏斗がある（例えば、特許文献３参照。）。この漏斗は、単なる紙製であるので唾液のような液体の使用に適さないばかりか、排出口周りの漏斗壁に設けた多数の孔が打ち抜き加工により形成された丸孔であるので、打ち抜き加工後に漏斗紙材から丸孔部分が完全に除去されているか否かを検査しなければならず、若し打ち抜かれた丸孔部分が漏斗紙材から除去されずに残ってしまっていると、咀嚼能率測定用材料の咬断片と唾液とを分離させる際に残っていた丸孔部分が咀嚼能率測定用材料の咬断片と唾液とのいずれかに混入して咀嚼能率の測定に支障を来たすという問題点があった。
【先行技術文献】
【特許文献】
【０００８】
【特許文献１】特公平６−１０２６０６号公報
【特許文献２】再表２００６−４６３７７号公報
【特許文献３】実用新案登録第３１３５０７３号公報
【発明の概要】
【発明が解決しようとする課題】
【０００９】
本発明は、咀嚼能率を測定する際に、被験者が一定時間咀嚼した咀嚼能率測定用材料の咬断片を唾液と共に吐き出させて咀嚼能率測定用材料の咬断片と唾液とを分離させる操作を容易に行うことができ、従来の漏斗型分離具のように打ち抜き加工により形成された丸孔部分が漏斗紙材から除去されずに残ってしまうという欠点がなく、且つ安価且つ容易に製作することができる漏斗型分離具を提供することを課題とする。
【課題を解決するための手段】
【００１０】
本発明者（ら）は前記課題を解決すべく鋭意検討した結果、被験者の咀嚼能率を測定するために被験者が一定時間咀嚼した咀嚼能率測定用材料の咬断片を唾液と共に吐き出させて咀嚼能率測定用材料の咬断片と唾液とを分離させる漏斗型分離具を、使用時に円錐形に形成される耐水性を有するシート状の基材の円錐形の頂部となる部位から放射状の所定の位置に複数本の一定ピッチの波型の切込みが設けられている構成とすればよいことを究明して本発明を完成したのである。
【００１１】
即ち本発明は、被験者が一定時間咀嚼した咀嚼能率測定用材料の咬断片を唾液と共に吐き出させて該咬断片と唾液とに分離させる漏斗型分離具であって、使用時に円錐形に形成される耐水性を有するシート状の基材の円錐形の頂部となる部位から放射状の所定の位置に複数本の一定ピッチの波型の切込みが設けられていることを特徴とする漏斗状分離具である。
【００１２】
そしてこのような漏斗型分離具において、波型の切込みのピッチは１〜５ｍｍが好ましく、また一定ピッチの波型の切込みがシート状の基材の円錐形の頂部となる部位から放射状に設けられた折り目線を中心として設けられていればより好ましいことも究明したのである。
【発明の効果】
【００１３】
本発明に係る漏斗状分離具は、使用時に円錐形に形成される耐水性を有するシート状の基材から成るので、使用に供するまでは単なるシート状を成しているため保管等に場所を取ることがなく、また円錐形の頂部となる部位から放射状の所定の位置に設けられている複数本の一定ピッチの波型の切込みはシート状の基材の一部を除去するものではなく単に切込みを入れただけのものであるから例えば円形の穴を穿設した場合のように穿設された部分がシート状の基材から切り取られずに残ってしまうという現象が生じることがなく、使用時に円錐形に形成されるとシート状の基材の剛性によって各一定ピッチの波型の切込みが波型の頂部が円錐形の外側に交互に突き出るようになって、自動的に唾液を流出させる開口部が形成されるので非常に使い勝手が良く、また構造が簡単なので安価且つ容易に製作することができるのである。
【００１４】
また、波型の切込みのピッチが１〜５ｍｍであれば、前述した咀嚼能率測定用材料として咬合に適した所定の硬さを有するグミゼリーを使用した場合に咀嚼能率測定用材料の咬断片を漏斗型分離具内に残し、唾液のみを漏斗型分離具から流出させるのに好適であり、また一定ピッチの波型の切込みがシート状の基材の円錐形の頂部となる部位から放射状に設けられた折り目線を中心として設けられていればその折り目線を境として両側に唾液を流出させることができるので漏斗状分離具を傾けなくても唾液をスムースに流出させることができさせることができるばかりか、唾液の流出性能が向上して好ましいのである。
【図面の簡単な説明】
【００１５】
【図１】本発明に係る漏斗型分離具の一実施例を示す平上面図である。
【図２】図１の漏斗型分離具を円錐形に形成した状態を示す斜視裏面図である。
【図３】本発明に係る漏斗型分離具の他の実施例を示す平面図である。
【図４】図３の漏斗型分離具を円錐形に形成した状態を示す斜視図である。
【発明を実施するための形態】
【００１６】
以下、図面を用いて本発明に係る漏斗型分離具について詳細に説明する。
【００１７】
図面中、１は被験者が一定時間咀嚼した咀嚼能率測定用材料の咬断片を唾液と共に吐き出させて咬断片と唾液とに分離させる本発明に係る漏斗型分離具であって、使用時に円錐形に形成される耐水性を有するシート状の基材の円錐形の頂部となる部位1aから放射状の所定の位置に複数本の一定ピッチの波型の切込み1bが設けられている。
【００１８】
この本発明に係る漏斗型分離具１を構成する耐水性を有するシート状の基材としては、合成紙や、プラスチック被覆紙や、プラスチックシート等が使用可能であり、その形状としては使用時に円錐形に形成した際に重ね合わせ部が形成されるように図１に示すように円錐形の頂部となる部位1aの片側が直線状の辺縁1cを成し、他方の片側が円錐形に形成された直線状の辺縁1cに被さる重ね合わせ片1dを形成されていて、且つ直線状の辺縁1cの円錐形の頂部となる部位1aから離れた位置に挿入用舌片1eが設けられていると共にその挿入用舌片1eに対応した円錐形の頂部となる部位1aと反対側ににその挿入用舌片1eが差し込まれる挿入用舌片差込用切込みifが設けられている態様を示すことができる。
【００１９】
このように使用時に円錐形に形成される耐水性を有するシート状の基材の円錐形の頂部となる部位1aから放射状の所定の位置に複数本の一定ピッチの波型の切込み1bが設けられていると、シート状の基材が使用時に円錐形に形成されるとそのシート状の基材の剛性によって各一定ピッチの波型の切込み1bが波型の頂部が円錐形の外側に交互に突き出ると共に波型の中央部が互いに接するようになって、被験者が一定時間咀嚼した咀嚼能率測定用材料の咬断片を唾液と共にこの漏斗型分離具内に吐き出させると咀嚼能率測定用材料の咬断片が漏斗型分離具内に残り、唾液が波型の切込み1bの波型の頂部が円錐形の外側に交互に突き出たことによって形成された開口部から漏斗型分離具の外に流出することによって咀嚼能率測定用材料の咬断片と唾液とが分離されるのである。
【００２０】
この波型の切込み1bのピッチは１〜５ｍｍであれば、耐水性を有するシート状の基材が使用時に円錐形に形成されてそのシート状の基材の剛性によって各一定ピッチの波型の切込み1bが波型の頂部が円錐形の外側に交互に突き出るようになって形成される開口部は、その最大幅が波型の切込み1bのピッチとなるが、その最大幅の部分から波型の切込み1bの波型の頂部に行くに従って暫時減少し且つ波型の中央部で対向する何型の中央部と互いに接するような比較的狭い開口部となるので咀嚼能率測定用材料の咬断片がこの開口部から漏斗型分離具外に流出する可能性が低いのであり、また一定ピッチの波型の切込み1bがシート状の基材の円錐形の頂部となる部位1aから放射状に設けられた折り目線1gを中心として設けられていれば、耐水性を有するシート状の基材が使用時に円錐形に形成されてそのシート状の基材の剛性によって各一定ピッチの波型の切込み1bが波型の頂部が円錐形の外側に交互に突き出る角度が折り目線1gを境として波型の頂部側の狭い開口部がより円錐形の外側に位置するようになるためその折り目線1gを境として両側に唾液を流出させることができると共に漏斗状分離具を傾けなくても唾液をスムースに流出させることができるばかりか、唾液の流出性能が向上して好ましいのである。
【００２１】
そしてこのような構成より成る漏斗型分離具は、耐水性を有するシート状の基材から成っているので、使用に供するまでは単なるシート状を成しているため保管等に場所を取ることがなく、また円錐形の頂部となる部位1aから放射状の所定の位置に設けられている複数本の一定ピッチの波型の切込み1bはシート状の基材の一部を除去するものではなく単に切込みを入れただけのものであるから例えば円形の穴を穿設した場合のように穿設された部分がシート状の基材から切り取られずに残ってしまうという現象が生じることがなく、使用時に円錐形に形成されるとシート状の基材の剛性によって各一定ピッチの波型の切込み1bが波型の頂部が円錐形の外側に交互に突き出るようになって、自動的に唾液を流出させる開口部が形成されるので非常に使い勝手が良く、また構造が簡単なので安価且つ容易に製作することができるのである。
【符号の説明】
【００２２】
１  漏斗型分離具
1a  円錐形の頂部となる部位
1b  一定ピッチの波型の切込み
1c  片側の直線状の辺縁
1d  他方の片側の重ね合わせ片
1e  挿入用舌片
1f  挿入用舌片差込用切込み
1g  放射状に設けられた折り目線
【図１】
0005512309.tif 000002
【図２】
0005512309.tif 000003
【図３】
0005512309.tif 000004
【図４】
0005512309.tif 000005